(57)【要約】      （修正有）【課題】プレーヤーがボールを多方向に打ち返した場合であっても、その大半が自動的に回収され、さらに回収されたボールはプレーヤーに向けて続けて発射されるため、ラリーの練習を連続的に行い得る卓球練習装置を提供する。【解決手段】卓球練習装置１は、卓球台２と、連続的にボールを供給するボール発射装置３と、ボール発射装置３のボール貯留部３１に向かって漸次下降傾斜されるように卓球台２の周囲に沿って設置されたボール回収路５とを備える。卓球台２のエンドラインから飛び出したボールは防球部４で防球された後に連通孔を通じてボール貯留部３１に回収され、卓球台２のサイドラインから飛び出したボールは、ボール回収路５を通じてボール貯留部３１に回収される。ボール貯留部３１で回収されたボールは、ボール発射装置３からプレーヤーに向けて再び発射される。【選択図】図２
0003221477.tif 000002
【実用新案登録請求の範囲】
【請求項１】
ネットを挟んだ２つのコートを含む天板を有する卓球台と、
該卓球台の一方のコートの後方に設置され、ボールを貯留するボール貯留部、該ボール貯留部に貯留されたボールを他方のコートに向けて発射するボール発射口が形成されたボール発射管を有するボール発射装置と、
前記一方のコートのエンドラインに沿って設置され前記ボール貯留部に連接するボール連通孔が形成された底面部、該底面部から立設し前記ボール発射装置の前方に位置するとともに前記ボール発射口が露出可能な露出孔が形成された背面部、前記底面部と背面部に連接された周面部を有する前面開口された防球部と、
上方開口された溝部が形成され、前記ボール貯留部に向かって漸次下降傾斜されるように前記卓球台の周囲に沿って設置されたボール回収路と、を備える
卓球練習装置。
【請求項２】
前記卓球台の幅方向に延設され、前記ボール回収路に向かって漸次下降傾斜されるように該ボール回収路に沿って設置された傾斜板を有する
請求項１に記載の卓球練習装置。
【請求項３】
前記卓球台の設置面には、前記一方のコート側から前記他方のコート側に向かう一の方向に向けて送風される送風機と、
前記卓球台の所定の位置であって、前記送風機からの送風を遮断する遮断板と、を有する
請求項１または請求項２に記載の卓球練習装置。
【考案の詳細な説明】
【技術分野】
【０００１】
本考案は、卓球練習装置に関する。詳しくは、プレーヤーがボールを多方向に打ち返した場合であっても、その大半が自動的に回収され、さらに回収されたボールはプレーヤーに向けて続けて発射されるため、ラリーの練習を連続的に行い得る卓球練習装置に係るものである。
【背景技術】
【０００２】
スポーツは身体の健康を促進するだけでなく、心理的ストレスを解消することが知られている。特に不規則な生活やストレスの多い現代社会においては、生活習慣病の予防を始めとする健康維持やストレス解消のために適度なスポーツをすることが推奨されている。
【０００３】
スポーツの中でも特に卓球は身体をバランスよく使うため、全身運動として最適であるとともに、他のスポーツよりもボールのスピードが速く、瞬発的な判断力が求められることから、身体の健康促進だけでなく、瞬発的な判断力が自然と養われ、脳が刺激されることによる脳の活性化が期待できることが分かっている。そのため、近年では、若年層のみならず、痴呆防止を目的として高齢者にも広く普及しており、競技人口の増加が顕著なスポーツの一つである。
【０００４】
従来、一人で卓球の練習をするときには、プレーヤーコートとは反対側のコートに木製やプラスチック製のボードを設置して、係るボードに向かってボールを打ち付ける練習方法が一般に採用されている。しかしながら、木製やプラスチック製のボードは、その反射係数が本来のラケットのものとは異なるため、必ずしも実践に即した練習ができないという課題を有していた。
【０００５】
このような課題に対して、例えば特許文献１には、前面（ボールを打ち付ける面）にラケットと同質のラバーを貼着したボードから構成される卓球練習装置が開示されている。特許文献１によれば、ラバーが貼着された前面に向けてボールを打ち付けることにより、実際のラケットでボールを打ち返した場合と略同じ反射条件でボールが反射されるため、実践に近い練習を行うことができるものとなっている。
【０００６】
しかしながら、特許文献１に開示の卓球練習装置においては、ボードに打ち返されたボールは、必ずしもプレーヤー側のコートに跳ね返されるわけではなく、例えば卓球台から大きく外れた位置に跳ね返されることもある。その場合、プレーヤーは卓球台から外れた場所に落下したボールを拾い上げる必要があるため、その都度プレーが中断されてしまう。従って、プレーヤーにとって煩わしく、また連続的に打ち返すラリーの練習等には不向きなものとなっていた。
【０００７】
このような問題を解決するために、例えば特許文献２には、ボールをプレーヤーに向けて自動で連続的に供給する卓球練習機が開示されている。具体的には、卓球練習機は、主にボール発射装置、防球ネット、ボール回収部から構成されている。プレーヤーは対向するコートに設置されたボール発射装置から発射されたボールを防球ネットに向けて打ち返すと、ネットに打ち込まれたボールはそのままボール回収部に回収される。ボール回収部で回収されたボールは、再びボール発射装置発射からプレーヤーに向けて発射されるため、プレーヤーはボール回収をすることなく連続的にラリーの練習が可能なものとなっている。
【先行技術文献】
【特許文献】
【０００８】
【特許文献１】実開平４−３７６５号公報
【特許文献２】特開２００７−２５９９０１号公報
【考案の概要】
【考案が解決しようとする課題】
【０００９】
しかしながら、特許文献２に係る発明においては、防球ネットはボール発射装置が設置された周囲のみ、即ち、プレーヤーコートとは反対側のコートであって、プレーヤーからみて正面側であるエンドラインに沿って設けられた構成となっている。そのため、プレーヤーが防球ネットに向けて打ち返した場合には、ボールはボール回収路からボール回収部に回収され、ボール発射装置から順次発射されることになる。
【００１０】
一方で、プレーヤーが卓球台のサイドラインを狙ってボールを打ち返した場合には、ボールは防球ネットに当たらずに地面に落下することになる。ボール回収部には複数のボールが貯留されているため、プレーヤーは直ちに地面に落下したボールを拾い上げなくとも、引き続きラリーの練習を継続することができるが、地面に落下するボールが増えるに従い、やがてはボール発射装置から発射されるべきボールが不足することになる。
【００１１】
このとき、プレーヤーは練習を一時的に中断し、ボール回収を行う必要があるが、地面に落下した全てのボールを回収するには相当の労力と時間を必要とし、練習を継続したいプレーヤーにとっては非常に煩わしいものとなっていた。
【００１２】
さらに、ボールの回収を必要とせず、練習を継続するには、プレーヤーは常にエンドラインに沿って設けられた防球ネットに目がけて打ち返す必要があるため、例えばサイドラインを狙った練習ができず、単調な練習とならざるを得ないという問題を有していた。
【００１３】
本考案は、以上の点に鑑みて創案されたものであり、プレーヤーがボールを多方向に打ち返した場合であっても、その大半が自動的に回収され、さらに回収されたボールをプレーヤーに向けて発射することで、ラリーの練習を連続的に行い得る卓球練習装置に係るものである。
【課題を解決するための手段】
【００１４】
前記の目的を達成するために、本考案の卓球練習装置は、ネットを挟んだ２つのコートを含む天板を有する卓球台と、該卓球台の一方のコートの後方に設置され、ボールを貯留するボール貯留部、該ボール貯留部に貯留されたボールを他方のコートに向けて発射するボール発射口が形成されたボール発射管を有するボール発射装置と、前記一方のコートのエンドラインに沿って設置され前記ボール貯留部に連接するボール連通孔が形成された底面部、該底面部から立設し前記ボール発射装置の前方に位置するとともに前記ボール発射口が露出可能な露出孔が形成された背面部、前記底面部と背面部に連接された周面部を有する前面開口された防球部と、上方開口された溝部が形成され、前記ボール貯留部に向かって漸次下降傾斜されるように前記卓球台の周囲に沿って設置されたボール回収路とを備える。
【００１５】
ここで、ネットを挟んだ２つのコートを含む天板を有する卓球台を備えることにより、後述する通り、一方のコートの後方に連続的にボールを発射するボール発射装置を設置し、他方のコートをプレーヤーコートとすることができる。これにより、ボール発射装置から他方のコートに向けて発射されたボールを、他方のコートの後方に位置するプレーヤーは一方のコート側に向けて打ち返すことで、連続的にラリーの練習を行うことが可能となる。
【００１６】
また、卓球台の一方のコートの後方に設置され、ボールを貯留するボール貯留部、ボール貯留部に貯留されたボールを他方のコートに向けて発射するボール発射口が形成されたボール発射管を有するボール発射装置を備えることにより、前記の通り、一方のコートからプレーヤーコートである他方のコートに向けて連続的にボールを発射することができる。プレーヤーは、ボール発射装置から連続的に発射されたボールを一方のコートに向けて打ち返すことで、途切れることなく連続的にラリーの練習を行うことが可能となる。
【００１７】
また、前面部が開口されるとともに、底面部、背面部、及び周面部より構成され、天板のエンドラインに沿って幅方向に設置された防球部を備えることにより、一方のコートに向けてプレーヤーが打ち返したボールは、防球部により防球され、卓球台から離れた位置に飛び出すことを防止することができる。このとき、防球部には、ボール発射装置のボール貯留部に連接されたボール連通孔が形成されているため、防球部で防球されたボールは、そのままボール連通孔を通じてボール貯留部に貯留される。ボール貯留部に貯留されたボールは再びボール発射管から発射されるため、プレーヤーはボール拾いを行う手間を省き、連続的にラリーの練習を行うことが可能となる。
【００１８】
また、防球部は、卓球台の他方のコート側からの正面視において、少なくともボール発射管を除くボール発射装置が被覆されているため、ボール発射管からボールを発射させることができるとともに、プレーヤーから打ち返されたボールがボール発射装置の本体部に衝突することを防止し、ボールの衝突によるボール発射装置の破損を防止することができる。
【００１９】
また、上方開口された溝部が形成され、ボール貯留部に向かって漸次下降傾斜されるように卓球台の周囲に沿って設置されたボール回収路を備えることにより、例えば卓球台のサイドラインから飛び出したボールは、ボール回収路に落下する。このとき、ボール回収路は、ボール貯留部に向かって漸次下降傾斜される構成となっているため、ボール回収路に落下したボールは、傾斜に沿って転がり、ボール貯留部にて回収される。ボール貯留部に回収されたボールは再びボール発射管から発射されるため、プレーヤーはボールの集球作業の手間が省かれ、連続的にラリーの練習を行うことが可能となる。
【００２０】
また、卓球台の幅方向に延設されるとともに、ボール回収路に向かって漸次下降傾斜されるようにボール回収路に沿って設置された傾斜板を有する場合には、プレーヤーの打ち返したボールがサイドラインから勢いよく飛び出した場合でも、ボールは傾斜板で防球される。このとき、傾斜板は、ボール回収路に向かって漸次下降傾斜されているため、傾斜板で防球されたボールは傾斜に沿ってボール回収路に向けて転がり、ボール回収路に落下したボールは、前記した通り、傾斜に沿って転がり、ボール貯留部にて回収される。そして、ボール貯留部に回収されたボールは再びボール発射管から発射されるため、プレーヤーはボールの集球作業の手間が省かれ、連続的にラリーの練習を行うことが可能となる。
【００２１】
また、卓球台の設置面には、一方のコート側から他方のコート側に向けて送風される送風機を有する場合には、例えば、プレーヤーが打ち返したボールが防球部、及び傾斜板から大きく外れ、床面に落下した場合でも、送風機からの送風により、ボールはプレーヤーが位置する他方のコート側に送られる。従って、床面に落下したボールを集球するに際して、プレーヤーは卓球台の下に潜り込んで集球する必要がなく、集球に際しての手間を省くことが可能となる。
【００２２】
また、卓球台の所定の位置には、送風機からの送風を遮断する遮断板が設置されている場合には、送風機から送風された風は、遮断板の両サイドに沿って流れることになる。そのため、床面に落ちたボールも、遮断板の両サイドに沿って移動するため、プレーヤーの足元付近にボールが集まることを防止することができる。従って、プレーヤーは床面に落下したボールを気にすることなく、ラリー練習に集中することができる。
【考案の効果】
【００２３】
本考案に係る卓球練習装置は、プレーヤーがボールを多方向に打ち返した場合であっても、その大半が自動的に回収され、さらに回収されたボールはプレーヤーに向けて続けて発射されるため、ラリーの練習を連続的に行い得るものとなっている。
【図面の簡単な説明】
【００２４】
【図１】本考案の実施形態に係る卓球練習装置の正面図である。
【図２】本考案の実施形態に係る卓球練習装置の側面図である。
【図３】本考案の実施形態に係る卓球練習装置の底面図である。
【考案を実施するための形態】
【００２５】
以下、本考案の実施形態に係る卓球練習装置について、図面を参照して詳細に説明する。なお、各図においては、説明の便宜上、卓球台を床面に設置した状態において、床面から上方に向かう方向を上方向と定義し、上方向の反対方向を下方向と定義し、卓球台の短手方向を幅方向と定義し、卓球台の長手方向を長さ方向と定義し、上方向、及び下方向により表される軸方向を鉛直方向と定義し、鉛直方向と垂直な方向を水平方向と定義する。
【００２６】
本考案の実施形態に係る卓球練習装置１の構成について図１乃至図３に基づいて説明する。本考案に係る卓球練習装置１は、主に卓球台２、ボール発射装置３、防球部４、ボール回収路５、及び傾斜板６から主に構成され、例えばネット状の周壁７で囲まれた空間内に設置されるものである。
【００２７】
卓球台２は、平面視において方形状の天板２１、天板２１を支持する脚部２２から構成されている。天板２１は、例えばパーティクルコア合板、又はメラミンボード等の公知の材質で、青、又緑色に着色が施されている。
【００２８】
天板２１の幅方向の略中心には長さ方向にセンターラインＬｃ、天板２１の周縁の長さ方向にはサイドラインＬｓ、及び幅方向にはエンドラインＬｅがそれぞれ表示されている。また、天板２１の長さ方向の略中心には、センターラインＬｃと略直角に交差するように、一方のコートＣ１と他方のコートＣ２を分離するためのネット２３が天板２１の幅方向に設置されている。
【００２９】
脚部２２は外側脚部２２ａとキャスター（符号を付さない）付の内側脚部２２ｂから構成されており、外側脚部２２ａと内側脚部２２ｂはそれぞれ天板２１の裏面に螺子等の公知の固定手段により強固に固定されている。外側脚部２２ａ、及び内側脚部２２ｂは、ステー（図示しない）を介して折り畳み可能なように構成されており、卓球台２を収納する際には、天板２１をその長さ方向略中心部で内側に折り畳んだ際に、キャスター付の内側脚部２２ｂでのみ天板を支持できるように構成されている。
【００３０】
ここで、必ずしも、脚部２２は外側脚部２２ａとキャスター付の内側脚部２２ｂから構成されている必要はない。例えば、外側脚部２２ａのみから構成されていてもよい。但し、外側脚部２２ａと内側脚部２２ｂをそれぞれ有することにより、床面Ｆへの設置に際しては、卓球台２が床面Ｆに対して強固に固定される一方で、卓球台２を収納する際には、キャスター付の内側脚部２２ｂのみで床面Ｆに支持されるため、卓球台２の床面Ｆ上の移動が容易なものとなる。
【００３１】
ボール発射装置３は、ボール貯留部３１、ボール供給管３２、本体部３３、ボール搬送管３４、圧縮空気制御部３５、及びボール発射管３６から主に構成されており、卓球台２の一方のコートＣ１の後方に設置されている。
【００３２】
ボール貯留部３１は、ボールを一時的に貯留するものであり、例えば略４０〜５０球程度のボールを一時的に貯留することが可能である。また、後述する通り、ボール貯留部３１には、防球部４に形成された連通孔（符号を付さない）、及びボール回収路５の一端が連接されており、これら連通孔、及びボール回収路５から回収されたボールはボール貯留部３１にて一時的に貯留されるものとなっている。
【００３３】
ここで、必ずしも、ボール貯留部３１は、略４０〜５０球程度のボールを一時的に貯留できる容積を有している必要はない。ボール貯留部３１の容積は、適宜変更することができるものとする。
【００３４】
ボール供給管３２は、ボール貯留部３１と本体部３３を連通するもので、ボール貯留部３１に貯留されたボールは、このボール貯留部３１を通じて本体部３３に供給される。
【００３５】
本体部３３は、所定の回転速度で回転駆動されるスプロケット（符号を付さない）を有している。スプロケットが回転駆動すると、ボール供給管３２から供給されたボールは、スプロケットにより一球ずつボール搬送管３４に向けて搬送されるようになっている。
【００３６】
圧縮空気制御部３５は、予めコンプレッサ（図示しない）等により、後述するボール搬送管３４に向けて圧縮空気を吹き出すものである。圧縮空気の吹き出しにより、本体部３３を含むボール搬送管３４内は負圧状態となる。この状態でスプロケットの回転速度に応じたボールがボール搬送管３４に向けて送り出されると、ボールは圧縮空気によりボール搬送管３４を下から上方向に向けて移動し、さらにボール発射管３６から外部に向けて発射されることになる。
【００３７】
ここで、必ずしも、ボール発射装置３は圧縮空気を用いた発射方法である必要はなく、公知の機構から適宜選択することが可能である。
【００３８】
防球部４は、ボール発射装置３よりも前方（一方のコートＣ１側）であって天板２１のエンドラインＬｅに沿って設置されるようにボール発射装置３に取り付けられている。防球部４は前面部が開口されるとともに、底面部、周面部、及び背面部から構成されている。底面部は例えばビニール素材からなり、天板２１と略同一の高さ位置に設置されるとともに、略中央部にはボール発射装置３のボール貯留部３１に連通する連通孔が形成されている。
【００３９】
ここで、必ずしも、底面部はビニール素材から構成されている必要はない。例えば網目状のネット材により構成されていてもよい。
【００４０】
また、必ずしも、底面部の高さ位置は、天板２１と略同一の高さ位置である必要はない。取り付けに際しての鉛直方向の位置は適宜変更することができる。
【００４１】
また、周面部、及び背面部は網目状のネット材により構成され、背面部の一部には、前記したボール発射装置３のボール発射管３６の発射口（符号を付さない）が露出可能な露出孔４１が形成されている。この露出孔４１を通じてボール発射管３６から他方のコートＣ２に向けてボールが発射される。また、プレーヤーにより防球部４に向けて打ち返され、前面開口部から侵入したボールは、主に背面部、及び周面部で防球されるため、ボールが卓球台２から遠く離れた位置に飛び出すことを抑制することができる。
【００４２】
ここで、必ずしも、周面部、及び背面部は網目状のネット材により構成されている必要はない。例えば、ビニール素材から構成されていてもよい。
【００４３】
ボール回収路５は、側面部と底面部からなる上方向に向けて開口された断面略Ｌ字状の溝部が形成されており、一側の側面部が卓球台２の脚部２２に螺子等の公知の固定手段により固定されている。ボール回収路５は、ボール貯留部３１に連接されているとともに、ボール貯留部３１に向かって漸次下降するように傾斜を有している。即ち、ボール回収路５に落下したボールは、その傾斜に沿って転がり、ボール貯留部３１に回収することが可能となっている。
【００４４】
ここで、必ずしも、ボール回収路５を設置する範囲は、図２、及び図３に示すように、一方のコートＣ１側から他方のコートＣ２側にかけての所定の範囲に限定されるものではない。プレーヤーのプレーの妨げとならない範囲において卓球台２を周回するように設置してもよく、その設置範囲は適宜変更することが可能である。
【００４５】
また、必ずしも、ボール回収路５は卓球台２の脚部２２に固定する必要はない。例えば、天板２１の外縁に沿って設置するようにしてもよい。
【００４６】
また、必ずしも、ボール回収路５の溝部は断面略Ｌ字状に形成されている必要はなく、上方開口された溝であれば、どのような形状であってもよく、例えば断面略コの字状の溝形状に形成されていてもよい。
【００４７】
傾斜板６は、一端がボール回収路５の底面部に接続されており、卓球台２の幅方向であって、卓球練習装置１が設置される閉空間内の周壁７まで延設されたアクリル製の板状体からなるものである。この傾斜板６は、ボール回収路に向かって漸次下降するように傾斜を有している。即ち、プレーヤーが打ち返したボールが、サイドラインＬｓを大きく超えて天板２１から飛び出したとしても、傾斜板６で防球されたボールはそのままボール回収路５に向かって転がるとともに、その後ボール回収路５の傾斜に沿って転がり、ボール貯留部３１に回収されることになる。
【００４８】
ここで、必ずしも、傾斜板６は設置されている必要はない。例えば、卓球練習装置１を設置する空間として、狭小な閉空間内に設置する場合には、ボール回収路５と周壁７が近接した位置であるため、傾斜板６を設置する必要はない。
【００４９】
一方、卓球台２を設置する閉空間として、比較的広い閉空間内に設置する場合には、ボール回収路５と周壁７との間には所定の空間が形成されるため、係る空間を傾斜板６により平面的に埋めることで、サイドラインＬｓから飛び出し周壁７に当たったボールは傾斜板６を通じてボール回収路５に転がり、その後、ボール回収路５を通過してボール貯留部３１へと回収することができる。
【００５０】
また、必ずしも、傾斜板６は、アクリル製である必要はなく、その材質は特に限定されるものではない。
【００５１】
また、必ずしも、傾斜板６を設置する範囲は、図３に示すように、他方のコートＣ２側から一方のコートＣ１側にかけての一部の範囲に限定されるものではない。プレーヤーのプレーの妨げとならない範囲において卓球練習装置１を周回するように設置してもよく、その設置範囲は適宜変更することが可能である。
【００５２】
床面Ｆには、一定の風速の風を送風する送風機８が設置されている。送風機８により、一方のコートＣ１側から他方のコートＣ２側に向けて風を送風し、防球部４、及び傾斜板６で防球することができずに床面Ｆに落下したボールをプレーヤー側に送り出すことが可能となる。
【００５３】
ここで、必ずしも、送風機８は設置されている必要はない。但し、送風機８により床面Ｆに落下したボールをプレーヤー側に送り出すことで、床面Ｆに落下したボールの集球作業の負担を軽減することができる。即ち、床面Ｆに落下し、脚部２２付近に集まったボールを集球するには、屈み込むような窮屈な姿勢での作業が必要となるが、送風機によりプレーヤー側に送り出すことで、このような窮屈な姿勢をすることなく、容易にボールを集球することが可能となる。
【００５４】
なお、送風機８を設置する場合には、送風機８からの送風を遮断する遮断板を天板２１の裏面（床面Ｆと対峙する面）であって、かつ天板２１の幅方向に沿って設置するようにしもてよい。この場合、送風機８によりプレーヤー側に移動したボールが、プレーヤーの足元付近に集まることを防止して、プレーの妨げとなることを防止するとともに、プレーヤーの足元が送風機８からの風により直接曝されることを防止することが可能となる。
【００５５】
ここで、必ずしも、遮断板は天板２１に設置されている必要はない。送風機８からの送風によりプレーヤーの足元付近に直接曝されないように遮ることができれば、卓球台２の何れの位置に設置するようにしてもよい。
【００５６】
以上のように構成された卓球練習装置１においてラリー練習を行うに際しては、先ずボール貯留部３１に所定の数（例えば４０〜５０球程度）のボールを貯留し、ボール発射装置３の電源を入れると、ボールはボール発射管３６から所定のタイミングで連続的に一方のコートＣ１からプレーヤーのいる他方のコートＣ２に向けて発射される。
【００５７】
プレーヤーにより打ち返され、一方のコートＣ１側のエンドラインから飛び出して防球部４で防球されたボールは、防球部４の底面部に形成された連通孔から落下して、連接されたボール貯留部３１に貯留され、再びボール発射管３６から発射される。
【００５８】
一方、プレーヤーにより打ち返され、サイドラインＬｓから飛び出して傾斜板６で防球されたボールは、傾斜板６の傾斜面に沿ってボール回収路５に向けて転がる。その後ボールは、ボール回収路５の傾斜に沿って転がり、連接されたボール貯留部３１に貯留され、再びボール発射管３６から発射される。
【００５９】
以上のように、エンドラインＬｅ、サイドラインＬｓの何れからボールが飛び出したとしても防球部４、及び傾斜板６により防球され、さらにはボール貯留部３１に回収されるとともに、回収されたボールは再びボール発射管３６から発射されるため、プレーヤーはボールを集球する作業を行うことなく、連続的にラリーの練習を繰り返すことが可能となる。
【００６０】
一方、防球部４、及び傾斜板６で防球できなかったボールについては、送風機８による風により卓球台２の側面からプレーヤー側に送り出されるため、例えボール貯留部３１に貯留されるボールが少なくなり、プレーヤーによる集球作業が必要となった場合でも、床面Ｆに落ちたボールを短時間で集球することができるため、集球作業の負担を大幅に低減することが可能となっている。
【００６１】
以上、本考案に係る卓球練習装置は、プレーヤーがボールを多方向に打ち返した場合であっても、その大半が自動的に回収され、さらに回収されたボールはプレーヤーに向けて続けて発射されるため、ラリーの練習を連続的に行い得るものとなっている。
【符号の説明】
【００６２】
１      卓球練習装置
２      卓球台
２１      天板
２２      脚部
２２ａ      外側脚部
２２ｂ      内側脚部
２３      ネット
３      ボール発射装置
３１      ボール貯留部
３２      ボール供給管
３３      本体部
３４      ボール搬送管
３５      圧縮空気制御部
３６      ボール発射管
４      防球部
４１      露出孔
５      ボール回収路
６      傾斜版
７      周壁
８      送風機
Ｌｃ      センターライン
Ｌｓ      サイドライン
Ｌｅ      エンドライン
Ｃ１、Ｃ２      コート
Ｆ      床面
【図１】
0003221477.tif 000003
【図２】
0003221477.tif 000004
【図３】
0003221477.tif 000005